(57)【要約】【課題】  遊技機において、静電気が制御基板に及んだ場合であっても制御基板による正常な動作処理を確保することを目的とする。【解決手段】  機構板７０の表面には遊技球Ｂの通路である分岐路７０ｃが機構板７０と一体として形成されており、この分岐路７０ｃは、略水平斜め下方向に延出する案内溝７０ｄｇを備える。案内溝７０ｄｇの形成範囲に対応する機構板７０の裏面には、主基板８４ａが、主基板８４ａの裏側面と機構板７０裏面とが向かい合う状態で配設されている。この配設状態において、主基板８４ａ裏側面の電源ラインＤＬ，信号ラインＳＬおよびグランドラインＧＬは、案内溝７０ｄｇにおける遊技球Ｂの流動方向に沿った方向となっている。【選択図】        図５
2004305776.tif 000002
【特許請求の範囲】
【請求項１】
遊技媒体を流通させることにより遊技を行なう遊技機であって、
前記遊技媒体が流動する通路である遊技媒体流動通路と、
前記遊技に関する動作を制御する制御基板と
を備え、
前記制御基板を、該制御基板の少なくとも一方の側の導体パターンが前記遊技媒体流動通路における遊技媒体の流動方向に沿った方向となるように配設した
遊技機。
【請求項２】
前記遊技媒体流動通路における遊技媒体の流動方向に沿った方向とされる導体パターンは、電気信号を伝達するための導体パターンである信号ラインである請求項１に記載の遊技機。
【請求項３】
前記制御基板を覆う被覆部材を備えた請求項１または２に記載の遊技機。
【請求項４】
前記被覆部材が透明であって且つ非導電性を有する材料で形成された請求項３に記載の遊技機。
【請求項５】
前記遊技媒体流動通路が合成樹脂を用いて形成された請求項１ないし４のいずれかに記載の遊技機。
【発明の詳細な説明】
【技術分野】
【０００１】
本発明は、遊技機に関し、詳しくは、遊技媒体を流通させることにより遊技を行なう遊技機に関する。
【背景技術】
【０００２】
近年、遊技機の分野では、遊技媒体に帯電した静電気が制御基板に及ぶことにより遊技機の誤作動が生じ得る点に着目し、このような誤作動を防止する手法が種々提案されている。例えば、遊技用の球を遊技媒体とするパチンコ遊技機において、外レール等に帯電した静電気をリード線を通じてアース処理部に導き、レール上の静電気を遊技機の外部（以下、機外という）に除去する手法（例えば、特許文献１を参照）や、ハンドルや球受け皿等を炭素系極細繊維を混入したプラスチックで形成し、ハンドルや球受け皿上で生じた静電気を空中で中和して機外に除去する手法（例えば、特許文献２を参照）が提案されている。このように、従来は、制御基板に及び得る静電気を機外に除去することにより遊技機の誤作動を防止していた。
【０００３】
【特許文献１】特開平５−２２８２５７号公報
【特許文献２】特開平６−１５０５９号公報
【発明の開示】
【発明が解決しようとする課題】
【０００４】
しかしながら、遊技機では、遊技媒体の流路における遊技媒体同士の衝突や遊技媒体の流路を形成する部材と遊技媒体との摩擦等により頻繁に静電気が生じるので、静電気を完全に機外に除去することは困難であり、機内に残留した静電気が制御基板に対するノイズの発生源として作用する可能性があった。一方、静電気が制御基板に及んだ場合に、この静電気が制御基板に対するノイズとして作用する蓋然性を低減する手段については、従来は何ら提案されていなかった。
【０００５】
そこで、本発明は、上記の課題を解決し、遊技機において、静電気が制御基板に及んだ場合であっても制御基板による正常な動作処理を確保することを目的として、以下の構成を採った。
【課題を解決するための手段】
【０００６】
本発明の遊技機は、
遊技媒体を流通させることにより遊技を行なう遊技機であって、
前記遊技媒体が流動する通路である遊技媒体流動通路と、
前記遊技に関する動作を制御する制御基板と
を備え、
前記制御基板を、該制御基板の少なくとも一方の側の導体パターンが前記遊技媒体流動通路における遊技媒体の流動方向に沿った方向となるように配設したことを要旨とする。
【０００７】
上記発明における遊技媒体としては、例えば、遊技用の球や遊技用のメタル等を考えることができる。
【０００８】
上記発明の遊技機によれば、制御基板は、該制御基板の少なくとも一方の側の導体パターンが遊技媒体流動通路における遊技媒体の流動方向に沿った方向となるように配設される。このような構成を採ることにより、遊技媒体流動通路付近に帯電した静電気が制御基板に対するノイズとして作用する蓋然性は大きく低減される。従って、制御基板の正常な処理動作を確保することが可能となり、遊技機における誤動作の発生を有効に防止することができる。
【０００９】
遊技媒体流動通路における遊技媒体の流動方向に沿った方向とされる導体パターンを、電気信号を伝達するための導体パターンである信号ラインとすることも好適である。
【００１０】
制御基板を覆う被覆部材を備えることも、ノイズが制御基板に及びにくくなる点で望ましい。また、上記の被覆部材を透明であって且つ非導電性を有する材料で形成することも好適である。この場合には、被覆部材上により静電気が帯電しやすくなるが、制御基板が遊技媒体流動通路における遊技媒体の流動方向に沿った方向となるように配設されるので、制御基板は帯電した静電気の影響を受けにくくなる。従って、制御基板の状態の外部からの視認性と制御基板の正常な処理動作の双方を実現することが可能となる。
【００１１】
また、遊技媒体流動通路を合成樹脂を用いて形成してもよい。この場合には、遊技媒体流動通路付近により静電気が帯電しやすくなるが、制御基板が遊技媒体流動通路における遊技媒体の流動方向に沿った方向となるように配設されるので、制御基板は帯電した静電気の影響を受けにくくなる。従って、遊技媒体流動通路の成形の容易性と制御基板の正常な処理動作の双方を確保することが可能となる。
【発明を実施するための最良の形態】
【００１２】
以上説明した本発明の構成および作用を一層明らかにするために、以下本発明の実施の形態を実施例に基づき説明する。図１は、本発明の実施例であるパチンコ遊技機１０の後面を示す説明図である。なお、以下の説明においては、パチンコ遊技機１０の前面方向から見たときの面を「表面」といい、パチンコ遊技機１０の後面方向から見たときの面を「裏面」という。
【００１３】
図１に示すように、パチンコ遊技機１０は、木製の外枠１２と、この外枠１２の外側側面にセットされるプリペイドカードユニット１５を備える。プリペイドカードユニット１５は、貸球数の情報が記録されたプリペイドカードを挿入することにより所定数の遊技球Ｂを上皿に供給する装置であり、ＡＣ１００ボルトのカードユニット電源コード１７と、度数表示部，貸出ボタン，貸出ボタンランプおよび返却ボタンを有する案内ユニット（図示せず）を備える。
【００１４】
パチンコ遊技機１０の外枠１２には、樹脂製の内枠２０が内枠用ヒンジ１３を介して開閉可能に軸着されている。この内枠２０の枠内に形成された開口部には、予め描画シートが貼着された遊技盤４０が嵌め込まれている。
【００１５】
図１に示すように、遊技盤４０の裏面には、後述する特別図柄表示装置として機能する液晶表示器５６、パチンコ遊技機１０前面の表示ランプの表示形態を制御するランプ制御基板５７ａ、外部に出力する音声の内容を特別図柄表示装置の動作状況に応じて制御する音声制御基板５８ａが、電気配線と共に取り付けられている。なお、ランプ制御基板５７ａおよび音声制御基板５８ａは、金属製のランプ・音声基板用プレート５９を介して遊技盤４０に取り付けられる。ランプ制御基板５７ａ，音声制御基板５８ａは、それぞれ樹脂カバー５７ｗ，樹脂カバー５８ｗによって覆われており、液晶表示器５６も同様に、図示しない樹脂製のカバーによって覆われている。
【００１６】
一方、図１に表わされていない遊技盤４０の表面には、発射ハンドルの操作により発射された遊技球Ｂを遊技領域まで誘導する外レールおよび内レール、多数の障害釘、打球が流下する速度や方向を変化させる風車、遊技領域を流下する遊技球が進入可能な数個の普通入賞口４３および一個の始動入賞口、始動入賞口への遊技球Ｂの進入に伴って図柄変動を開始する特別図柄表示装置、特別図柄表示装置によって特定図柄が表示されたときに開く大入賞口４６、各入賞口４３，４６への入賞状況に応じて種々の形態で点灯ないし点滅する表示ランプ等の各種部品が装着されている。また、遊技盤４０の中央下部には、遊技領域において入賞しなかった遊技球Ｂの入口であるアウト口５３が形成されている。このような各部によって遊技盤４０上の遊技領域が形成される。
【００１７】
こうした遊技領域は、内枠２０の側面に開閉可能に軸着されたガラス枠（図示せず）のガラス面で覆われており、ガラス枠の下方における内枠２０側面には、貸球や賞球としての遊技球Ｂを貯留する上皿（図示せず）が開閉可能に軸着されている。この上皿よりも下方の内枠２０表面には、上皿の容量を越えて払い出された遊技球Ｂを貯留する下皿（図示せず）、発射ハンドルの回転操作により上皿から供給された遊技球Ｂを遊技領域に向けて発射する発射操作ユニット（図示せず）等が取り付けられている。また、上皿を開けたときに露出する内枠２０表面には、発射ハンドルの回転操作により発射された遊技球を外レールに案内する発射レール（図示せず）が装着されている。
【００１８】
図１に示すように、内枠２０の裏面には、合成樹脂製の機構板７０が、遊技盤４０の裏面に重ねられた状態で取り付けられている。この機構板７０は、その側面の二箇所に螺着された金属製の機構板用ヒンジ７１，７９を内枠２０に装着された受け金具３３にセットすることにより、開閉ないし係脱可能に装着される。図１は機構板７０を閉じたときの状態を示しており、この状態において、遊技盤４０裏面の液晶表示器５６，ランプ制御基板５７ａおよび音声制御基板５８ａは、機構板７０の略中央に形成された矩形の開口部７０ａ内に納まっている。
【００１９】
機構板７０裏面の最上部には、所定数の遊技球Ｂを貯留可能な球タンク７２が取り付けられており、この球タンク７２よりも下方の領域には、球タンク７２から賞球／貸球払出しユニット７５までの遊技球Ｂの通路を形成するタンクレール７３およびケースレール７４が取り付けられている。図１に示すように、球タンク７２の下部に形成された二つの凸部７２ａ，７２ｂは、タンクレール７３の上端と接触している。また、タンクレール７３の末端はケースレール７４の始端と接触した状態となっている。
【００２０】
ケースレール７４の末端には、賞球や貸球としての遊技球Ｂを払い出す賞球／貸球払出しユニット７５、払い出された遊技球Ｂの通路であるおよび鈴桶ベース７７が連接されている。ケースレール７４，賞球／貸球払出しユニット７５、鈴桶ベース７７は、図１に示すように、機構板７０の裏面に敷設された矩形の金属板９０上に金属板９０と接触した状態で設置されている。また、ケースレール７４の始端と接するタンクレール７３の末端も、金属板９０上に金属板９０と接触した状態で設置されている。この金属板９０の側端部に形成された折曲部は、それぞれ機構板用ヒンジ７１，７９に螺着されている。これにより、金属板９０は、折曲部を介して機構板用ヒンジ７１，７９と導通可能な状態となる。もとより、金属板９０と機構板用ヒンジ７１，７９とを予め一体的に形成しておいても差し支えない。
【００２１】
賞球／貸球払出しユニット７５内には、ケースレール７４からの遊技球Ｂの通路が形成されており、この通路の途中には二個の円筒部材（図示せず）が装着されている。この円筒部材はモータを動力源として回転可能に構成されており、球貸し時若しくは入賞時に回転し、これ以外の時には回転停止状態となるように制御される。また、円筒部材の周辺にはケースレール７４から流下してきた遊技球Ｂが侵入可能な大きさのスプロケットが形成されている。このスプロケット内に遊技球Ｂが侵入した状態で円筒部材が回転することにより、遊技球Ｂは下方の鈴桶ベース７７内に送り出される。一方、円筒部材の回転が停止すると、ケースレール７４から流下してきた遊技球Ｂは停止状態の円筒部材によって塞き止められる。なお、賞球／貸球払出しユニット７５の頂面には、上記モータを覆うニ個の保護カバー７６ａ，７６ｂが装着されている。また、賞球／貸球払出しユニット７５内には、賞球，貸球として払い出された遊技球Ｂの数を検知する賞球／貸球センサ（図示せず）が埋め込まれている。
【００２２】
鈴桶ベース７７は、その内部を流下してきた遊技球Ｂの出口として、第一出口，第ニ出口（図示せず）という二つの出口を備える。上記の第一出口，第ニ出口は、図１に示す鈴桶ベース７７が機構板７０に装着された状態において、それぞれ、後述する案内路７０ｂの入口，分岐路７０ｃの入口と対向する位置に形成されている。また、図１に示すように、賞球／貸球払出しユニット７５の装着位置よりも下方の鈴桶ベース７７は鈴桶カバー７８によって覆われている。
【００２３】
機構板７０裏面におけるケースレール７４上方の領域には電源・外部端子ユニット８０が装着されている。電源・外部端子ユニット８０は、遊技場の島からＡＣ２４ボルトの電源をパチンコ遊技機１０内に導入するための遊技機電源コード８０ｂ、操作により供給電源のオン／オフを行なう電源スイッチ８０ａ、パチンコ遊技機１０に発生した特定図柄の表示による大当たり回数等を外部に出力する遊技盤用外部端子板８０ｃ、球貸しや球切れ，賞球に関する情報を外部に出力する枠用外部端子板８０ｄから構成されている。遊技機電源コード８０ｂから導入されたＡＣ２４ボルトの電源は、電気配線を通じて後述する電源ユニット８１に送られる。
【００２４】
開口部７０ａの下方には、電源基板８１ａおよび電源基板８１ａを覆う透明な樹脂カバー８１ｗを有する電源ユニット８１、発射制御基板８２ａおよび発射制御基板８２ａを覆う透明な樹脂カバー８２ｗを有する発射制御ユニット８２が、金属製の電源・発射制御基板用プレート８３を介して機構板７０の裏面に取り付けられている。また、機構板７０の裏面には、電源ユニット８１および発射制御ユニット８２の上面の一部を覆うように、金属製の主基板用プレート８５が螺着されており、この主基板用プレート８５上に主基板８４ａおよび主基板８４ａを覆う透明な樹脂カバー８４ｗを有する主制御ユニット８４が取り付けられている。また、機構板７０の裏面には、鈴桶カバー７８の上面および電源ユニット８１の上面の一部を覆うように、金属製の払出制御基板用プレート８７が螺着されており、この払出制御基板用プレート８７上に払出制御基板８６ａおよび払出制御基板８６ａを覆う透明な樹脂カバー８６ｗを有する払出制御ユニット８６が取り付けられている。
【００２５】
本実施例では、各樹脂カバー５７ｗ，５８ｗ，８１ｗ，８２ｗ，８４ｗ，８６ｗを非導電性の樹脂を用いて成形し、カバーの成形容易性かつ低コスト性を実現している。また、既述したように、各樹脂カバー５７ｗ，５８ｗ，８１ｗ，８２ｗ，８４ｗ，８６ｗは透明色とされているので、パチンコ遊技機１０後面から各制御基板５７ａ，５８ａ，８１ａ，８２ａ，８４ａ，８６ａの状態を視認することができる。従って、各制御基板５７ａ，５８ａ，８１ａ，８２ａ，８４ａ，８６ａに対する裏ＲＯＭ等の不正部品の装着の有無を容易に点検・管理することができる。
【００２６】
外部端子ユニット８０と電気配線を介して接続された電源ユニット８１は、遊技機電源コード８０ｂから送られてきた交流電源を直流に変換し、変換された直流電源を、給電線を通じて液晶表示器５６、ランプ制御基板５７ａ、音声制御基板５８ａ、発射制御ユニット８２、主制御ユニット８４および払出制御ユニット８６等の各制御パーツに供給する。発射制御ユニット８２は発射ハンドルの操作に伴う発射機構ユニット３１の発射動作を制御する。主制御ユニット８４は、特別図柄表示装置における図柄の表示動作等の遊技に伴う動作を制御する。払出制御ユニット８６は、賞球／貸球払出しユニット７５による払出し動作を制御する。
【００２７】
図１に二点鎖線で示すように、機構板７０の表面には、遊技球Ｂを誘導する各種の通路として、案内路７０ｂ、分岐路７０ｃ、球排出通路７０ｄという三つの通路が合成樹脂製の機構板７０と一体として形成されている。案内路７０ｂは、賞球や貸球として払い出された遊技球Ｂを鈴桶ベース７７の第一出口からパチンコ遊技機１０前面側の上皿に導く通路である。分岐路７０ｃは、上皿および案内路７０ｂの容量を越えて払い出された遊技球Ｂを鈴桶ベース７７の第ニ出口から下皿に導く通路である。球排出通路７０ｄは、普通入賞口４３や大入賞口４６，アウト口５３に進入した遊技球Ｂを機外に導く通路である。
【００２８】
このような三つの通路が形成された機構板７０の表面の様子を図２に示した。この図２では、機構板７０裏面における各制御基板５７ａ，５８ａ，８１ａ，８２ａ，８４ａ，８６ａの位置を二点鎖線で示しており、機構板用ヒンジ７１，７９を省略して表わしている。
【００２９】
図１および図２に示すように、案内路７０ｂは、鈴桶ベース７７の第一出口と対向する位置における機構板７０を幅方向に貫通することによって形成されている。また、分岐路７０ｃは、鈴桶ベース７７の第ニ出口の下方に位置する機構板７０表面に遊技球Ｂの通路となる溝部を形成することによって設けられている。この溝部は、略鉛直下方向に延出する縦溝７０ｃｔと、この縦溝７０ｃｔに連続し、縦溝７０ｃｔの延出終端から略水平斜め下方向に延出する横溝７０ｃｙとから構成されている。球排出通路７０ｄは、アウト口５３の下方に位置する機構板７０表面に、略水平斜め下方向に延出する案内溝７０ｄｇと、この案内溝７０ｄｇに連続し、案内溝７０ｄｇの延出終端から略鉛直下方向に延出する流下溝７０ｄｋを形成することによって設けられている。
【００３０】
次に、パチンコ遊技機１０における遊技球Ｂの流通経路について図３を参照しつつ説明する。図３は、パチンコ遊技機１０後面から見た機構板７０を略記して示す説明図である。この図３では、遊技球Ｂの流通経路を黒色の太矢印を用いて示している。
【００３１】
図３に示すように、遊技場の球供給装置から供給された遊技球Ｂは、機構板７０裏面に装着された球タンク７２からより下流側のタンクレール７３，ケースレール７４，賞球／貸球払出しユニット７５に順次に流れていく。賞球／貸球払出しユニット７５内に流れ込んできた遊技球Ｂは、球貸し時および入賞時でない場合には、回転停止状態の円筒部材によりスプロケット内に遊技球Ｂが侵入した状態で塞き止められる。これにより、球タンク７２、タンクレール７３，ケースレール７４および賞球／貸球払出しユニット７５内は遊技球Ｂが貯留した状態となる。
【００３２】
一方、遊技中に普通入賞口４３または大入賞口４６に遊技球Ｂが進入した場合には、この遊技球Ｂの進入を検知した主制御ユニット８４および払出制御ユニット８６が賞球側モータの駆動を指示する。これにより、賞球側モータに接続された円筒部材が回転し、この円筒部材の回転に伴ってスプロケット内の遊技球Ｂが順次に鈴桶ベース７７内に送り出される。鈴桶ベース７７内に送り出された遊技球Ｂは、図３に示すように、鈴桶ベース７７内の通路内をベルに衝突しながら流下し、第一出口から案内路７０ｂに排出される。これにより、賞球としての所定数の遊技球Ｂが、案内路７０ｂを通ってパチンコ遊技機１０前面側の上皿に払い出される。
【００３３】
なお、普通入賞口４３や大入賞口４６，アウト口５３に進入した遊技球Ｂ（以下、遊技領域に進入した遊技球Ｂという）は、図３に示すように、遊技盤４０裏面と機構板７０表面との間を流下した後、前述した球排出通路７０ｄに合流する。この後、遊技球Ｂは、球排出通路７０ｄの案内溝７０ｄｇの傾斜に沿って緩やかに流下した後、流下溝７０ｄｋに沿って略鉛直下方向に流下する。これにより、遊技領域に進入した遊技球Ｂがパチンコ遊技機１０の外部に排出される。なお、図３では、球排出通路７０ｄの案内溝７０ｄｇによって形成される略水平斜め下方向への遊技球Ｂの流動通路を流動域Ｈ１として示している。
【００３４】
上皿の容量を越える遊技球Ｂが払い出されると、案内路７０ｂおよび第一出口が遊技球Ｂで閉塞される。この第一出口の閉塞後、鈴桶ベース７７内の遊技球Ｂは第ニ出口に向けて流れ出し、第ニ出口から分岐路７０ｃに排出される。分岐路７０ｃに排出された遊技球Ｂは、分岐路７０ｃの縦溝７０ｃｔに沿って流下した後、横溝７０ｃｙの傾斜に沿って緩やかに流下する。これにより、上皿の容量を越える遊技球Ｂが分岐路７０ｃを通ってパチンコ遊技機１０前面側の下皿に払い出される。なお、図３では、鈴桶ベース７７の入口から分岐路７０ｃの縦溝７０ｃｔ終端に至るまでの略鉛直下方向への遊技球Ｂの流動通路を流動域Ｈ２として示すとともに、分岐路７０ｃの横溝７０ｃｙの始端から終端に至るまでの略水平斜め下方向への遊技球Ｂの流動通路を流動域Ｈ３として示している。
【００３５】
また、プリペイドカードユニット１５にプリペイドカードが挿入された後に案内ユニットの貸出ボタンが押された場合には、貸球数の情報を検知した主制御ユニット８４および払出制御ユニット８６が貸球側モータの駆動を指示する。これにより、貸球側モータに接続された円筒部材が回転し、入賞時と同様に、賞球／貸球払出しユニット７５からの遊技球Ｂが、鈴桶ベース７７から案内路７０ｂを通じてパチンコ遊技機１０前面側の上皿に払い出される。
【００３６】
このような賞球や貸球の払出しに伴い、ケースレール７４，タンクレール７３，球タンク７２に貯まっていた遊技球Ｂは、順次に賞球／貸球払出しユニット７５に向かうように移動する。賞球や貸球の払出しにより、球タンク７２への貯留数が一定数以下であることが検出された場合には、この検出結果を受け取った枠用外部端子板８０ｄからの指示に基づき、遊技場の球供給装置から球タンク７２に遊技球Ｂが補給される。
【００３７】
なお、払い出された賞球や貸球の数は、賞球／貸球払出しユニット７５内に設けられた賞球／貸球センサ（図示せず）によって検知される。賞球／貸球センサは所定数の払出しを検知したときに検知結果を払出制御ユニット８６に送出し、検知結果を受け取った払出制御ユニット８６は、賞球側ないし貸球側のモータの駆動停止を指示する。これにより、各モータに接続された円筒部材の回転が停止され、円筒部材のスプロケットによる鈴桶ベース７７への遊技球Ｂの送り出しが停止される。この結果、球タンク７２、タンクレール７３およびケースレール７４内は、入賞ないし球貸し発生前と同様の遊技球Ｂが貯留した状態に戻る。
【００３８】
図３に二点鎖線で示すように、機構板７０の裏面には、流動域Ｈ１の形成範囲に電源基板８１ａ，発射制御基板８２ａおよび主基板８４ａが、流動域Ｈ２の形成範囲に払出制御基板８６ａが、流動域Ｈ３の形成範囲に電源基板８１ａが、それぞれ配設されている。これらの各制御基板８１ａ，８２ａ，８４ａ，８６ａは、両面プリント基板であり、電子部品を実装する表側の面（以下、表側面という）と、この表側面とスルーホールを介して電気的に接続される裏側の面（以下、裏側面という）とを備える。図１および図３において、各制御基板８１ａ，８２ａ，８４ａ，８６ａは、基板の裏側面と機構板７０裏面とが対向するように配設されている。
【００３９】
主基板８４ａの裏側面を図４に示す。図４に示すように、横長の矩形形状を有する主基板８４ａの裏側面には、基板上で行なわれる処理動作に必要な電源を供給する電源ラインＤＬ、各種の制御や処理の内容が規定された電気信号を伝達する信号ラインＳＬ、電源ラインＤＬや信号ラインＳＬと接続される基準電位領域であるグランドラインＧＬ等の導体パターンがプリントされている。図４では、電源ラインＤＬ，信号ラインＳＬを、それぞれ黒色の太線，黒色の細線を用いて示している。また、図４における白色部分，黒丸部分，斜線部分は、それぞれグランドラインＧＬ，電源ラインＤＬや信号ラインＳＬに接続される端子，導体パターンがプリントされるガラスエボキシ製の基材を表わしている。なお、上記の基材は、実際には、各電源ラインＤＬや各信号ラインＳＬの周辺領域にも露出しているが、図４ではこの周辺領域についての斜線部分の記載を省略している。
【００４０】
図４に示すように、電源ラインＤＬ，信号ラインＳＬおよびグランドラインＧＬは、主基板８４ａの長辺に対して略平行な方向に延びている。
【００４１】
このような主基板８４ａを機構板７０上の所定の位置（図３に示した位置）に配設したときの導体パターンと流動域Ｈ１との位置関係を模式図として図５に示す。この図５では、案内溝７０ｄｇを二点鎖線で示すとともに、案内溝７０ｄｇと主基板８４ａとの間に介在する機構板７０や電源・発射制御基板用プレート８３，発射制御基板８２ａ，樹脂カバー８２ｗ，電源基板８１ａ，樹脂カバー８１ｗ，主基板用プレート８５の記載を省略して示している。また、図５では、電源ラインＤＬや信号ラインＳＬの周辺に露出している基材を白色部分で示すとともに、グランドラインＧＬを点模様のハッチングを用いて示している。
【００４２】
図５に示すように、機構板７０に主基板８４ａが配設されると、主基板８４ａ裏側面の電源ラインＤＬ，信号ラインＳＬおよびグランドラインＧＬは、流動域Ｈ１における遊技球Ｂの流動方向（図５において矢印Ｐで示す方向）に対して略平行となり、流動域Ｈ１における遊技球Ｂの流動方向に沿った方向となる。
【００４３】
なお、電源基板８１ａ，発射制御基板８２ａ，払出制御基板８６ａの裏側面にも、上記主基板８４ａと同様の形態で導体パターンがプリントされている。従って、電源基板８１ａおよび発射制御基板８２ａが機構板７０の所定の位置（図３に示した位置）に配設されると、電源基板８１ａ裏側面の電源ラインＤＬ，信号ラインＳＬおよびグランドラインＧＬは流動域Ｈ１および流動域Ｈ３における遊技球Ｂの流動方向に沿った方向となり、発射制御基板８２ａ裏側面の電源ラインＤＬ，信号ラインＳＬおよびグランドラインＧＬは流動域Ｈ１における遊技球Ｂの流動方向に沿った方向となる。
【００４４】
払出制御基板８６ａを機構板７０上の所定の位置（図３に示した位置）に配設したときの導体パターンと流動域Ｈ２との位置関係を模式図として図６に示す。この図６では、鈴桶ベース７７および縦溝７０ｃｔを二点鎖線で示すとともに、縦溝７０ｃｔと払出制御基板８６ａとの間に介在する機構板７０や払出制御基板用プレート８７の記載を省略して示している。また、図６では、電源ラインＤＬや信号ラインＳＬの周辺に露出している基材を白色部分で示すとともに、グランドラインＧＬを点模様のハッチングを用いて示している。
【００４５】
図６に示すように、機構板７０に払出制御基板８６ａが配設されると、払出制御基板８６ａ裏側面の電源ラインＤＬ，信号ラインＳＬおよびグランドラインＧＬは、流動域Ｈ２における遊技球Ｂの流動方向（図６において矢印Ｑで示す方向）に対して略平行となり、流動域Ｈ２における遊技球Ｂの流動方向に沿った方向となる。
【００４６】
以上のように、各制御基板８１ａ，８２ａ，８４ａ，８６ａ裏側面の導体パターンを、流動域Ｈ１ないしＨ３における遊技球Ｂの流動方向に沿った方向とすることにより、各制御基板８１ａ，８２ａ，８４ａ，８６ａは、従来よりも静電気ノイズによる影響を受けにくくなる。これは、遊技球Ｂの流動により機構板７０の分岐路７０ｃや球排出通路７０ｄ付近に種々の電位で静電気が帯電し、この静電気が各制御基板８１ａ，８２ａ，８４ａ，８６ａ裏側面に誘導された場合に、誘導された静電気が電位の差に基づいて各電源ラインＤＬ，信号ラインＳＬ，グランドラインＧＬを伝って流れるため、各制御基板８１ａ，８２ａ，８４ａ，８６ａ裏側面の各導体パターン間に電位差が生じにくくなることに起因するものと考えられる。各導体パターン間に電位差が生じにくくなれば各制御基板８１ａ，８２ａ，８４ａ，８６ａ裏側面おいてノイズが発生しにくくなり、各制御基板８１ａ，８２ａ，８４ａ，８６ａ裏側面からノイズが放出される蓋然性や、この放出ノイズが各制御基板５７ａ，５８ａ，８１ａ，８２ａ，８４ａ，８６ａに及んでしまう蓋然性が低減されるからである。
【００４７】
なお、上記のパチンコ遊技機１０では、上記した各制御基板８１ａ，８２ａ，８４ａ，８６ａの裏側面の導体パターンを遊技球Ｂの流動方向に沿った方向にすることに加えて、球タンク７２，タンクレール７３，ケースレール７４と賞球／貸球払出しユニット７５とを表面抵抗値の異なる樹脂製導電材を用いて形成し、球タンク７２等に帯電した静電気を金属板９０を介して機外に除去する構成や、発射レール，内レール，外レール等に帯電した静電気を機外に除去する構成、電源・発射制御基板用プレート８３，主基板用プレート８５，払出制御基板用プレート８７およびランプ・音声基板用プレート５９という各プレートを相互に連絡する構成を採用する。このようなパチンコ遊技機１０において遊技中の静電気によるノイズの影響を測定した結果を図７（Ｂ）のグラフに示した。
【００４８】
図７は、賞球や貸球の払出しの前後においてパチンコ遊技機に生じる電位差を表わすグラフである。このグラフは、電源ラインにおける電位差の変化をデータとして採取したものであり、縦軸は電位差を示し、横軸は経過時間を示す。また、図７（Ａ）は従来のパチンコ遊技機の測定結果を、図７（Ｂ）は本実施例のパチンコ遊技機１０の場合の測定結果を、それぞれ表わしている。図７に示すように、賞球や貸球の払出しがなされる前においては、電源ラインにおける電位差は５ボルト前後で安定している。
【００４９】
図７（Ａ）と図７（Ｂ）とを比較してわかるように、従来のパチンコ遊技機においては、賞球や貸球の払出しがなされる際に、最大で１１ボルト，最小で−２ボルトの電位差が生じ、電圧が変化する幅Ｗ２は１３ボルトとなる。これに対し、本実施例のパチンコ遊技機１０では、賞球や貸球の払出しがなされる際に、最大で６ボルト，最小で４ボルトの電位差が生じ、電圧が変化する幅Ｗ１は２ボルトとなる。このように、本実施例のパチンコ遊技機１０では、賞球や貸球の払出し時において電源ラインの電圧が変化する幅は、±１ボルト程度に止まり、従来のパチンコ遊技機の１／６程度にまで低減される。以上より、本実施例のパチンコ遊技機１０では、従来品と比べて、賞球や貸球の払出し等により生じた静電気によるノイズが電源ラインにのりにくくなっていることがわかる。
【００５０】
以上説明した本実施例のパチンコ遊技機１０では、各制御基板８１ａ，８２ａ，８４ａ，８６ａを、基板裏側の導体パターンが流動域Ｈ１ないしＨ３における遊技球Ｂの流動方向に沿った方向となるように配設する。これにより、流動域Ｈ１ないしＨ３付近に帯電した静電気が各制御基板５７ａ，５８ａ，８１ａ，８２ａ，８４ａ，８６ａに対するノイズとして作用する蓋然性が大きく低減される。従って、各制御基板５７ａ，５８ａ，８１ａ，８２ａ，８４ａ，８６ａの正常な処理動作を確保することが可能となり、パチンコ遊技機１０における誤動作の発生を有効に防止することができる。
【００５１】
特に、本実施例では、流動域Ｈ１ないしＨ３に位置する分岐路７０ｃ、球排出通路７０ｄが合成樹脂を用いて形成されているので、分岐路７０ｃ、球排出通路７０ｄ付近にはより静電気が帯電しやすくなるが、各制御基板８１ａ，８２ａ，８４ａ，８６ａが遊技球Ｂの流動方向に沿った方向となるように配設されることで、各制御基板８１ａ，８２ａ，８４ａ，８６ａは分岐路７０ｃ、球排出通路７０ｄ付近に帯電した静電気の影響を受けにくくなる。従って、分岐路７０ｃや球排出通路７０ｄの成形の容易性と各制御基板８１ａ，８２ａ，８４ａ，８６ａの正常な処理動作の双方を確保することが可能となる。
【００５２】
本実施例では、主基板８４ａ裏側や払出制御基板８６ａ裏側の信号ラインＳＬが流動域Ｈ１ないしＨ２における遊技球Ｂの流動方向に沿った方向とされる。従って、流動域Ｈ１ないしＨ２付近に帯電した静電気に起因して主基板８４ａや払出制御基板８６ａの信号ラインＳＬに遊技球Ｂを払い出す旨の電気信号が流れ、入賞時や貸球時でないにも拘らず遊技球Ｂが払い出されてしまうといった事態を有効に防止することができる。
【００５３】
また、上記実施例では、機構板７０裏面に装着された電源ユニット８１および発射制御ユニット８２を覆うように主基板８４ａを有する主制御ユニット８４を装着し、球排出通路７０ｄが形成された機構板７０から離間した状態で主基板８４ａを配設する。同様に、上記実施例では、機構板７０裏面に装着された電源ユニット８１および鈴桶カバー７８を覆うように払出制御基板８６ａを有する払出制御ユニット８６を装着し、分岐路７０ｃが形成された機構板７０および鈴桶ベース７７から離間した状態で払出制御基板８６ａを配設する。このため、鈴桶ベース７７や分岐路７０ｃ，球排出通路７０ｄに帯電した静電気は、鈴桶カバー７８や樹脂カバー８１ｗ，８２ｗに遮られて主基板８４ａや払出制御基板８６ａに及びにくくなる。従って、主基板８４ａや払出制御基板８６ａの正常な処理動作をより十全に確保することができる。
【００５４】
以上本発明の実施例について説明したが、本発明は、こうした実施例に限定されるものではなく、発明の要旨を逸脱しない範囲内において、種々なる態様で実施可能である。
【００５５】
例えば、上記実施例では、各制御基板８１ａ，８２ａ，８４ａ，８６ａを、該基板裏側の導体パターンが、球排出通路７０ｄの案内溝７０ｄｇによって形成された遊技球Ｂの通路（流動域Ｈ１における通路）、鈴桶ベース７７および分岐路７０ｃの縦溝７０ｃｔによって形成された遊技球Ｂの通路（流動域Ｈ２における通路）、分岐路７０ｃの横溝７０ｃｙによって形成された遊技球Ｂの通路（流動域Ｈ３における通路）に沿った方向となるように配設したが、基板裏側の導体パターンが上記以外の遊技球Ｂの通路に沿った方向となるように、各制御基板８１ａ，８２ａ，８４ａ，８６ａを配設することも可能である。このような遊技球Ｂの通路としては、タンクレール７３やケースレール７４によって形成された遊技球Ｂの通路などを考えることができる。
【００５６】
上記実施例では、主基板８４ａや払出制御基板８６ａを機構板７０の裏面と離間した位置関係で配置したが、本発明は、上記実施例のような配置に限るものではなく、各制御基板５７ａ，５８ａ，８１ａ，８２ａ，８４ａ，８６ａを配設する位置については適宜変更することができる。
【００５７】
また、上記実施例では、機構板７０の裏面に各プレート５９，８３，８５，８７を介して各制御基板５７ａ，５８ａ，８１ａ，８２ａ，８４ａ，８６ａを配設したが、このような各プレート５９，８３，８５，８７を設けることなく、機構板７０の裏面に各制御基板５７ａ，５８ａ，８１ａ，８２ａ，８４ａ，８６ａを配設してもよい。この場合において、分岐路７０ｃおよび球排出通路７０ｄが形成された部分に対応する機構板７０の裏面に箱形状を有する樹脂ケースを装着し、この樹脂ケース内に各制御基板５７ａ，５８ａ，８１ａ，８２ａ，８４ａ，８６ａを収納配置することにより、各制御基板５７ａ，５８ａ，８１ａ，８２ａ，８４ａ，８６ａを樹脂ケースでを覆う構成とすることも可能である。この樹脂ケースを透明であって且つ導電性を有しない樹脂を用いて形成した場合には、ケース上に静電気が帯電しやすくなるが、各制御基板５７ａ，５８ａ，８１ａ，８２ａ，８４ａ，８６ａが分岐路７０ｃや球排出通路７０ｄにおける遊技球Ｂの流動方向に沿った方向に配設されるので、各制御基板５７ａ，５８ａ，８１ａ，８２ａ，８４ａ，８６ａは帯電した静電気の影響を受けにくくなる。従って、各制御基板５７ａ，５８ａ，８１ａ，８２ａ，８４ａ，８６ａについて、基板の状態の外部からの視認性と正常な処理動作の双方を実現することが可能となる。
【００５８】
本発明の実施例であるパチンコ遊技機１０は、球貸し等による上皿への遊技球Ｂの補充や、上皿ないし下皿に払い出された遊技球Ｂの機外への取り出しが可能に構成されているが、機内に遊技用の球が封入され、この球を流通させることにより遊技を行なう他の遊技機にも、本発明を適用することができる。また、上記実施例のパチンコ遊技機１０では、遊技球Ｂの普通入賞口４３等の入賞口への侵入に伴って所定数の遊技球Ｂを賞球として払い出すが、このような賞球に替えて所定数のメタルや景品等を払い出す他の遊技機にも、本発明を適用することができる。このような遊技機として、アレンジボール，パチンコ玩具等を考えることができる。
【００５９】
また、上記実施例では、遊技球Ｂを用いて遊技を行なうパチンコ遊技機１０を例として説明したが、メタルを用いて遊技を行なうスロットマシン等の遊技機にも本発明を適用することができる。
【図面の簡単な説明】
【００６０】
【図１】本発明の実施例であるパチンコ遊技機１０の後面を示す説明図である。
【図２】機構板７０の表面を略記して示す説明図である。
【図３】パチンコ遊技機１０後面から見た機構板７０を略記して示す説明図である。
【図４】主基板８４ａの裏側面を示す説明図である。
【図５】主基板８４ａを機構板７０上の所定の位置に配設したときの導体パターンと流動域Ｈ１との位置関係を模式図として示す説明図である。
【図６】払出制御基板８６ａを機構板７０上の所定の位置に配設したときの導体パターンと流動域Ｈ２との位置関係を模式図として示す説明図である。
【図７】賞球や貸球の払出しの前後においてパチンコ遊技機に生じる電位差を表わすグラフである。
【符号の説明】
【００６１】
１０...パチンコ遊技機
１２...外枠
１３...内枠用ヒンジ
１５...プリペイドカードユニット
１７...カードユニット電源コード
２０...内枠
３１...発射機構ユニット
３２ａ，３２ｂ...支持片
３３...受け金具
４０...遊技盤
４３...普通入賞口
４６...大入賞口
５３...アウト口
５６...液晶表示器
５７ａ...ランプ制御基板
５７ｗ...樹脂カバー
５８ａ...音声制御基板
５８ｗ...樹脂カバー
５９...ランプ・音声基板用プレート
７０...機構板
７０ａ...開口部
７０ｂ...案内路
７０ｃ...分岐路
７０ｃｔ...縦溝
７０ｃｙ...横溝
７０ｄ...球排出通路
７０ｄｇ...案内溝
７０ｄｋ...流下溝
７１...機構板用ヒンジ
７２...球タンク
７２ａ，７２ｂ...凸部
７３...タンクレール
７４...ケースレール
７５...賞球／貸球払出しユニット
７６ａ，７６ｂ...保護カバー
７７...鈴桶ベース
７８...鈴桶カバー
７９...機構板用ヒンジ
８０...電源・外部端子ユニット
８０ａ...電源スイッチ
８０ｂ...遊技機電源コード
８０ｃ...遊技盤用外部端子板
８０ｄ...枠用外部端子板
８１...電源ユニット
８１ａ...電源基板
８１ｗ...樹脂カバー
８２...発射制御ユニット
８２ａ...発射制御基板
８２ｗ...樹脂カバー
８３...電源・発射制御基板用プレート
８４...主制御ユニット
８４ａ...主基板
８４ｗ...樹脂カバー
８５...主基板用プレート
８６...払出制御ユニット
８６ａ...払出制御基板
８６ｗ...樹脂カバー
８７...払出制御基板用プレート
９０...金属板
Ｂ...遊技球
ＤＬ...電源ライン
ＧＬ...グランドライン
ＳＬ...信号ライン
【図１】
2004305776.tif 000003
【図２】
2004305776.tif 000004
【図３】
2004305776.tif 000005
【図４】
2004305776.tif 000006
【図５】
2004305776.tif 000007
【図６】
2004305776.tif 000008
【図７】
2004305776.tif 000009